(57)【要約】【課題】本発明は、所定のスポットの位置や方向を感覚的に把握することができるスポット情報表示システムを提供することを目的とする。【解決手段】位置情報取得部１４により取得された携帯情報端末１の位置と、方角情報取得部１５により取得された携帯情報端末１が向いている方角に関する情報とに基づいて、スポットＳに関する情報に含まれる位置に関する情報を参照しながら、携帯情報端末１の位置を基準とした所定の距離Ｍの範囲内であって、かつ携帯情報端末が向いている方角を基準とした所定の角度Ａの範囲内に存在しているスポットＳに関する情報をスポット情報ＤＢ３から取得する。スポット情報取得部１６により取得されたスポットＳに関する情報を、携帯情報端末１の位置に対するスポットＳの相対的な位置に基づいて表示部１２に表示させる。【選択図】図２
2019045958.tif 000002
【特許請求の範囲】
【請求項１】
表示部を有する携帯情報端末と、複数のスポットに関する情報が記憶されたスポット情報データベースとを備え、前記スポット情報データベースに記憶されている所定のスポットに関する情報を前記携帯情報端末の表示部に表示させるスポット情報表示システムであって、
前記携帯情報端末の位置に関する情報を取得する位置情報取得部と、
前記携帯情報端末が向いている方角に関する情報を取得する方角情報取得部と、
前記位置情報取得部により取得された前記携帯情報端末の位置に関する情報と、前記方角情報取得部により取得された前記携帯情報端末が向いている方角に関する情報とに基づいて、スポットに関する情報に含まれる位置に関する情報を参照しながら、前記携帯情報端末の位置を基準とした所定の距離の範囲内であって、かつ前記携帯情報端末が向いている方角を基準とした所定の角度の範囲内に存在しているスポットに関する情報をスポット情報データベースから取得するスポット情報取得部と、
前記スポット情報取得部により取得されたスポットに関する情報を、前記携帯情報端末の位置に対するスポットの相対的な位置に基づいて前記表示部に表示させる表示制御部とを備えることを特徴とするスポット情報表示システム。
【請求項２】
前記スポット情報取得部は、前記携帯情報端末の位置を基準とした第１の距離の範囲内に存在している複数のスポットに関する情報をスポット情報データベースから取得したあと、
該スポット情報データベースから取得した複数のスポットに関する情報の中から、前記携帯情報端末の位置を基準とした第１の距離より短い第２の距離の範囲内であって、かつ前記携帯情報端末が向いている方角を基準として所定の角度の範囲内に存在しているスポットに関する情報を取得する請求項１に記載のスポット情報表示システム。
【請求項３】
前記表示制御部は、前記携帯情報端末の位置を前記表示部における２次元平面上の座標の原点とし、前記携帯情報端末の位置に対するスポットの相対的な位置を前記表示部における２次元平面上の座標に変換することによって、スポットに関する情報の表示位置を設定する請求項１または請求項２に記載のスポット情報表示システム。
【請求項４】
前記表示制御部は、前記携帯情報端末の位置とスポットの位置を３次元の世界座標系に変換したあと、前記携帯情報端末の位置に係る３次元座標を前記表示部における２次元平面上の座標の原点とし、スポットの位置に係る３次元座標を前記表示部における２次元平面上の座標に変換する請求項３に記載のスポット情報表示システム。
【請求項５】
前記表示制御部は、スポットに関する情報の表示サイズについて標準サイズと最小サイズがあらかじめ設定されており、標準サイズと最小サイズの間において、前記携帯情報端末の位置を基準としたスポットまでの距離に応じて、各スポットに関する情報の表示サイズを設定する請求項１から請求項４のいずれかに記載のスポット情報表示システム。
【請求項６】
前記表示制御部は、前記表示部においてズーム操作が行われた場合、ズーム操作の程度に応じて、前記携帯情報端末の位置を仮想的に変化させることによって、前記スポット情報取得部により取得されたスポット情報を、前記携帯情報端末の新たな仮想的な位置に対するスポットの相対的な位置に基づいて前記表示部に再表示させる請求項１から請求項５のいずれかに記載のスポット情報表示システム。
【請求項７】
スポットのカテゴリに関するリストを記憶するカテゴリリスト記憶部を備え、
前記表示制御部は、ユーザの操作により前記カテゴリリスト記憶部に記憶されているスポットのカテゴリに関するリストを前記表示部に表示させ、該リストにおいてユーザにより一ないし複数のカテゴリが選択された場合、当該選択されたカテゴリに属するスポットに関する情報のみを前記表示部に表示させる請求項１から請求項６のいずれかに記載のスポット情報表示システム。
【請求項８】
前記表示制御部は、ユーザの操作により所定の検索ボックスを前記表示部に表示させ、ユーザの操作により該検索ボックスにおいて所定のワードが入力されて検索された際、該ワードに関するスポットに関する情報が前記表示部に表示されている場合には、該スポットに関する情報をハイライト的に表示させる一方、該ワードに関するスポットに関する情報が前記表示部に表示されていない場合には、該スポットに関する情報を前記表示部に追加的に表示させる請求項１から請求項７のいずれかに記載のスポット情報表示システム。
【請求項９】
前記表示制御部は、ユーザにより選択されたスポットに関する情報に関して、前記携帯情報端末の位置に関する情報と該スポットの位置に関する情報とに基づいて、前記携帯情報端末の位置から該スポットの位置までの経路に関する情報を取得して前記表示部に表示させる請求項１から請求項８のいずれかに記載のスポット情報表示システム。
【請求項１０】
前記表示制御部は、スポットに関する情報として、該スポットを識別する情報とともに、前記携帯情報端末の位置を基準とした該スポットまでの距離を示す情報および／またはスポットの方向を示す情報を前記表示部に表示させる請求項１から請求項９のいずれかに記載のスポット情報表示システム。
【請求項１１】
表示部を有する携帯情報端末と、複数のスポットに関する情報が記憶されたスポット情報データベースとを備え、前記スポット情報データベースに記憶されている所定のスポットに関する情報を前記携帯情報端末の表示部に表示させるスポット情報表示システムコンピュータに用いられるコンピュータに読み取り可能なコンピュータプログラムであって、
コンピュータを、
携帯情報端末の位置に関する情報を取得する位置情報取得部、
前記携帯情報端末が向いている方角に関する情報を取得する方角情報取得部、
前記位置情報取得部により取得された前記携帯情報端末の位置と、前記方角情報取得部により取得された前記携帯情報端末が向いている方角に関する情報とに基づいて、スポットに関する情報に含まれる位置に関する情報を参照しながら、前記携帯情報端末の位置を基準とした所定の距離の範囲内であって、かつ前記携帯情報端末が向いている方角を基準とした所定の角度の範囲内に存在しているスポットに関する情報をスポット情報データベースから取得するスポット情報取得部、
前記スポット情報取得部により取得されたスポットに関する情報を、前記携帯情報端末の位置に対するスポットの相対的な位置に基づいて前記表示部に表示させる表示制御部として機能させることを特徴とするコンピュータに読み取り可能なコンピュータプログラム。
【発明の詳細な説明】
【技術分野】
【０００１】
本発明は、ユーザの携帯情報端末の周囲に存在する視界内外の様々なスポットに関する情報を携帯情報端末に表示させるスポット情報表示システムに関するものである。
【背景技術】
【０００２】
近年、携帯電話、スマートフォン、タブレット端末などの携帯情報端末の普及に伴って、各種携帯情報端末においてＧＰＳ（Global Positioning System）機能が搭載される場合が多くなってきており、ユーザは携帯情報端末を用いて自己の所在地を簡単に把握することができるようになっている。また、ビル、施設、道路などの各種スポットの地図に関する膨大な情報もデータベースとして整備されており、ＧｏｏｇｌｅＭａｐ（登録商標）に代表されるように、ユーザの携帯情報端末から所定のスポットまでのルート検索を行って、携帯情報端末の表示部に表示するサービスも展開されている。
【０００３】
ところが、このようなＧｏｏｇｌｅＭａｐ（登録商標）などによるルート検索は、あくまでユーザの携帯情報端末からスポットまでの経路を２次元的に表示するのみであった。このため、ユーザは検索されたルートを辿ろうとする際、どの方向に進めばよいかを直感的に把握することが難しく、結局、ユーザの周囲に存在しているビル、施設、道路などのスポットの名称を目で確認して、携帯情報端末に表示されているルート検索上のスポットの名称と照らし合わせながら、進むべき方向を手探りで判断しているのが実情であった。例えば、地下鉄や地下街などの出口から地上に出てきた場合、自分が向いている方向や、検索されたルートの方向のいずれもわからなくなり、検索されたルートを辿るためには自分がどの方向に進めばよいかを把握することは容易ではなかった。
【０００４】
この点、最近では、ＡＲ（Augmented Reality：拡張現実）に代表されるように、携帯情報端末のカメラ機能により表示部に実際の風景を表示させた際、該風景に存在するビルや施設などのスポットの名称が重ねて表示されるアプリケーションも登場している（特許文献１〜３参照）。これによれば、表示部に表示された風景のビルや施設などのスポットの名称を把握することができ、上述のＧｏｏｇｌｅＭａｐ（登録商標）などにより検索されたルートを辿る際の参考にすることができる。
【先行技術文献】
【特許文献】
【０００５】
【特許文献１】特開２０１３−２１１０２７号公報
【特許文献２】特開２０１４−６５８２号公報
【特許文献３】特開２０１３−２１８５９７号公報
【発明の概要】
【発明が解決しようとする課題】
【０００６】
しかしながら、これでも、携帯情報端末の表示部に表示されるのは、あくまでもカメラ機能により撮影された、ユーザの視界内の近視眼的な風景のビルや施設などのスポットにすぎず、ユーザの視界外の遠くに存在しているビルや施設などのスポットを表示するものではなかった。このため、ユーザが視界外の遠くに存在しているスポット（実際には、このようなスポットがほとんどである）が目的地である場合、自分がどの方向に進めばよいかを直感的に把握することが依然として難しいという問題があった。しかも、上述のＡＲでは、表示部に表示されている風景の各スポットと、各スポットに関する情報を紐づけるための処理が複雑であるため、スポットに関する情報の表示位置の精度や表示スピードにも問題があった。
【０００７】
本発明は、上述の問題に鑑みてなされたものであり、視界内外のスポットの位置や方向を直感的に把握することができるスポット情報表示システムを提供することを目的とする。
【課題を解決するための手段】
【０００８】
本発明は、上記目的を達成するために、表示部を有する携帯情報端末と、複数のスポットに関する情報が記憶されたスポット情報データベースとを備え、前記スポット情報データベースに記憶されている所定のスポットに関する情報を前記携帯情報端末の表示部に表示させるスポット情報表示システムである。具体的には、前記携帯情報端末の位置に関する情報を取得する位置情報取得部と、前記携帯情報端末が向いている方角に関する情報を取得する方角情報取得部と、前記位置情報取得部により取得された前記携帯情報端末の位置に関する情報と、前記方角情報取得部により取得された前記携帯情報端末が向いている方角に関する情報とに基づいて、スポットに関する情報に含まれる位置に関する情報を参照しながら、前記携帯情報端末の位置を基準とした所定の距離の範囲内であって、かつ前記携帯情報端末が向いている方角を基準とした所定の角度の範囲内に存在しているスポットに関する情報をスポット情報データベースから取得するスポット情報取得部と、前記スポット情報取得部により取得されたスポットに関する情報を、前記携帯情報端末の位置に対するスポットの相対的な位置に基づいて前記表示部に表示させる表示制御部とを備えることを特徴とする。
【０００９】
これによれば、ユーザの携帯情報端末が向いている方角に存在している視界内外のスポットに関する情報が精度良くかつ迅速に表示部に表示されるため、ユーザは視界内外のスポットの位置や方向を直感的に把握することができる。
【００１０】
また、前記スポット情報取得部は、前記携帯情報端末の位置を基準とした第１の距離の範囲内に存在している複数のスポットに関する情報をスポット情報データベースから取得したあと、該スポット情報データベースから取得した複数のスポットに関する情報の中から、前記携帯情報端末の位置を基準とした第１の距離より短い第２の距離の範囲内であって、かつ前記携帯情報端末が向いている方角を基準として所定の角度の範囲内に存在しているスポットに関する情報を取得してもよい。これによれば、第１の取得段階で携帯情報端末の周囲に存在するスポットに関する情報を取得しているため、第２の取得段階で携帯情報端末の位置を基準とした所定の距離かつ方角の範囲内に存在するスポットに関する情報を迅速に取得して表示部に表示させることができる。
【００１１】
また、前記表示制御部は、前記携帯情報端末の位置を前記表示部における２次元平面上の座標の原点とし、前記携帯情報端末の位置に対するスポットの相対的な位置を前記表示部における２次元平面上の座標に変換することによって、スポットに関する情報の表示位置を設定してもよい。これによれば、スポットに関する情報の表示位置を実際のスポットの位置に応じて精度良く設定することができる。
【００１２】
また、前記表示制御部は、前記携帯情報端末の位置とスポットの位置を３次元の世界座標系に変換したあと、前記携帯情報端末の位置に係る３次元座標を前記表示部における２次元平面上の座標の原点とし、スポットの位置に係る３次元座標を前記表示部における２次元平面上の座標に変換してもよい。これによれば、スポットに関する情報の表示位置を実際のスポットの位置に応じてより一層精度良く設定することができる。
【００１３】
また、前記表示制御部は、スポットに関する情報の表示サイズについて標準サイズと最小サイズがあらかじめ設定されており、標準サイズと最小サイズの間において、前記携帯情報端末の位置を基準としたスポットまでの距離に応じて、各スポットに関する情報の表示サイズを設定してよい。これによれば、携帯情報端末の位置からスポットまでの距離を直感的に把握し易くなる。また、スポットに関する情報の表示サイズを視認可能な状態で設定し易くなる。
【００１４】
また、前記表示制御部は、前記表示部においてズーム操作が行われた場合、ズーム操作の程度に応じて、前記携帯情報端末の位置を仮想的に変化させることによって、前記スポット情報取得部により取得されたスポット情報を、前記携帯情報端末の新たな仮想的な位置に対するスポットの相対的な位置に基づいて前記表示部に再表示させてもよい。これによれば、ユーザが表示部においてズーム操作を行うことによって、さらに遠方に存在する視界内外のスポットに関する情報を表示部に表示させることができる。
【００１５】
また、スポットのカテゴリに関するリストを記憶するカテゴリリスト記憶部を備え、前記表示制御部は、ユーザの操作により前記カテゴリリスト記憶部に記憶されているスポットのカテゴリに関するリストを前記表示部に表示させ、該リストにおいてユーザにより一ないし複数のカテゴリが選択された場合、当該選択されたカテゴリに属するスポットに関する情報のみを前記表示部に表示させてもよい。これによれば、ユーザが所望するカテゴリに属するスポットに関する情報のみを表示部に表示させることができる。
【００１６】
また、前記表示制御部は、ユーザの操作により所定の検索ボックスを前記表示部に表示させ、ユーザの操作により該検索ボックスにおいて所定のワードが入力されて検索された際、該ワードに関するスポットに関する情報が前記表示部に表示されている場合には、該スポットに関する情報をハイライト的に表示する一方、該ワードに関するスポットに関する情報が前記表示部に表示されていない場合には、該スポットに関する情報を前記表示部に追加的に表示させてもよい。これによれば、ユーザが所望するキーワードに関連するスポットに関する情報をハイライト的または追加的に表示部に表示させることができる。
【００１７】
また、前記表示制御部は、ユーザにより選択されたスポットに関する情報に関して、前記携帯情報端末の位置に関する情報と該スポットの位置に関する情報とに基づいて、前記携帯情報端末の位置から該スポットの位置までの経路に関する情報を取得して前記表示部に表示させてもよい。これによれば、携帯情報端末から所定のスポットまでの検索経路を表示部に表示させることによって、本発明に係るスポットの位置や方向の把握と相まって、所定のスポットに係る目的地に効率的に到着することができる。
【００１８】
また、前記表示制御部は、スポットに関する情報として、該スポットを識別する情報とともに、前記携帯情報端末の位置を基準とした該スポットまでの距離を示す情報および／またはスポットの方向を示す情報を前記表示部に表示させてもよい。これによれば、スポットの位置や方向を簡単かつ確実に把握することができる。
【００１９】
また、本発明に係るコンピュータプログラムは、表示部を有する携帯情報端末と、複数のスポットに関する情報が記憶されたスポット情報データベースとを備え、前記スポット情報データベースに記憶されている所定のスポットに関する情報を前記携帯情報端末の表示部に表示させるスポット情報表示システムコンピュータに用いられるコンピュータに読み取り可能なコンピュータプログラムである。具体的には、コンピュータを、携帯情報端末の位置に関する情報を取得する位置情報取得部、前記携帯情報端末が向いている方角に関する情報を取得する方角情報取得部、前記位置情報取得部により取得された前記携帯情報端末の位置と、前記方角情報取得部により取得された前記携帯情報端末が向いている方角に関する情報とに基づいて、スポットに関する情報に含まれる位置に関する情報を参照しながら、前記携帯情報端末の位置を基準とした所定の距離の範囲内であって、かつ前記携帯情報端末が向いている方角を基準とした所定の角度の範囲内に存在しているスポットに関する情報をスポット情報データベースから取得するスポット情報取得部、前記スポット情報取得部により取得されたスポットに関する情報を、前記携帯情報端末の位置に対するスポットの相対的な位置に基づいて前記表示部に表示させる表示制御部として機能させることを特徴とする。
【発明の効果】
【００２０】
本発明によれば、ユーザの携帯情報端末が向いている方角に存在している視界内外のスポットに関する情報が精度良くかつ迅速に表示部に表示されるため、ユーザは視界内外のスポットの位置や方向を直感的に把握することができる。
【００２１】
このため、例えば、所定のスポットが目的地の場合、ユーザの携帯情報端末を所定の方角に向けると、所定のスポットやその近辺のスポットに関する情報が表示部に表示されるため、ユーザは所定のスポットの位置や方向を直感的に把握することができる。このため、ユーザはＧｏｏｇｌｅＭａｐ（登録商標）等でルート検索を行った場合、検索されたルートを辿る際にどの方向に進めばよいかを直感的に把握することができるし、ルート検索を行わなかった場合でも、少なくともどの方向に進めばよいかを直感的に把握することができ、結果としてユーザは所定のスポットに効率的に到着することが可能となる。
【図面の簡単な説明】
【００２２】
【図１】本システムの全体構成を示す図である。
【図２】携帯情報端末の機能を示すブロック図である。
【図３】携帯情報端末とスポットの位置や方向の関係を示す模式図である。
【図４】携帯情報端末の表示部に表示されるスポットに関する情報の表示例を示す図である。
【図５】スポットに関する情報の表示位置の設定を説明するための図である。
【図６】スポットに関する情報の表示サイズの設定を説明するための図である。
【図７】本システムの動作を示すフローチャートである。
【図８】ズーム機能を説明するための携帯情報端末とスポットの位置や方向の関係を示す模式図である。
【図９】メニュー表示機能に係る表示例を示す図である。
【図１０】表示スポット絞り込み機能に係る表示例を示す図である。
【図１１】スポット検索機能に係る表示例を示す図である。
【図１２】お気に入り表示機能に係る表示例を示す図である。
【図１３】スポットメニュー表示機能に係る表示例を示す図である。
【図１４】お気に入り登録機能に係る表示例を示す図である。
【図１５】経路検索機能に係る表示例を示す図である。
【発明を実施するための形態】
【００２３】
次に、本発明に係るスポット情報表示システム（以下、本システムという）の実施形態について図面を参照しつつ説明する。  
【００２４】
＜本システムの全体構成＞
本システムは、図１に示すように、ユーザが携帯する携帯情報端末１と、所定の処理を実行する処理サーバ２とを備え、携帯情報端末１と処理サーバ２がインターネット等のネットワークを介して通信可能に接続されている。
【００２５】
また、前記処理サーバ２は、スポットＳに関する情報を記憶するスポット情報データベース（以下、スポット情報ＤＢ３という）と、所定の地図に関する情報を記憶する地図情報サーバ４が通信可能な状態に接続されている。この処理サーバ２は、ユーザの携帯情報端末１からの要請に応じて、携帯情報端末１に対してネットワークを介して本発明に係るアプリケーションプログラムをダウンロードさせたり、スポット情報ＤＢ３に記憶されているスポットＳに関する情報を送信したり、あるいは地図情報サーバ４に記憶されている地図に関する情報を送信したりする。
【００２６】
前記スポット情報ＤＢ３は、観光スポット、公園、病院、学校、飲食店、公共施設、店舗、ビルなどの各種スポットＳに関する情報を記憶するデータベースである。このスポットＳに関する情報は、少なくともスポットＳを識別するための名称などの情報と、スポットＳの経度緯度などの位置に関する情報が含まれ、その他にもスポットＳに関する様々な情報が含まれてもよい。
【００２７】
前記地図情報サーバ４は、建物、施設、道路、線路、行政区画など、いわゆる地図に関する情報をデータベースとして蓄積しており、ユーザの携帯情報端末１やＰＣからの要求に応じて各種地図情報や経路検索情報などを提供するものであり、例えばＧｏｏｇｌｅＭａｐ（登録商標）などの地図情報サーバ４が挙げられる。
【００２８】
＜携帯情報端末１の構成＞
前記携帯情報端末１は、ユーザが携帯するスマートフォン、携帯電話、タブレット端末などであって、上述のように処理サーバ２より本発明に係るアプリケーションプログラムをネットワークを介してダウンロードすることによって、前記スポット情報ＤＢ３に記憶されている所定のスポットＳに関する情報を表示部１２に表示させるように機能する。
【００２９】
具体的には、前記携帯情報端末１は、各部を統括的に制御するアプリケーション制御部１０を有しており、ユーザの操作をユーザ操作受付部１１により受け付けたり、データ通信部１３により各種データ（情報）の通信を実行したり、所定の処理を実行して表示部１２に表示させたりする基本的な構成のほか、後述するように本発明の機能に係る位置情報取得部１４、方角情報取得部１５、スポット情報取得部１６、表示制御部１７として機能する。
【００３０】
なお、前記携帯情報端末１は、記憶部１８を有しており、本発明の係るアプリケーションプログラムのほか、携帯情報端末１やスポットＳについて取得した各種情報や、あらかじめ設定されている情報などが記憶される。
【００３１】
前記位置情報取得部１４は、携帯情報端末１の位置に関する情報を取得するものである。例えば、位置情報取得部１４は、携帯情報端末１に搭載されているＧＰＳ機能により、携帯情報端末１の位置に関する情報を処理サーバ２あるいはインターネット上の所定のサーバを通じて取得する。この携帯情報端末１の位置に関する情報は、例えば携帯情報端末１の位置の経度および緯度に関する情報が挙げられる。
【００３２】
前記方角情報取得部１５は、携帯情報端末１が向いている方角に関する情報を取得するものである。例えば、方角情報取得部１５は、携帯情報端末１に搭載されているジャイロセンサなどにより、携帯情報端末１が向いている方角に関する情報を取得する。この携帯情報端末１が向いている方角に関する情報は、例えば一般には携帯情報端末１のカメラ部が向いている東西南北の方角に関する情報が挙げられる。
【００３３】
前記スポット情報取得部１６は、スポット情報ＤＢ３に記憶されている所定のスポットＳに関する情報を取得するものである。具体的には、スポット情報取得部１６は、位置情報取得部１４により取得された携帯情報端末１の位置と、方角情報取得部１５により取得された携帯情報端末１が向いている方角に関する情報とに基づいて、スポットＳに関する情報に含まれる位置に関する情報を参照しながら、スポットＳに関する情報をスポット情報ＤＢ３から取得するものであって、本実施形態では第１の取得段階と第２の取得段階からなる。
【００３４】
前記スポット情報取得部１６は、第１の取得段階において、図３に示すように、携帯情報端末１の位置を基準とした第１の距離Ｎ（例えば、１０００ｍ）の範囲内に存在している複数のスポットＳに関する情報を処理サーバ２を通じてスポット情報ＤＢ３から取得して記憶部１８に記憶する。
【００３５】
また、前記スポット情報取得部１６は、第２の取得段階において、図３に示すように、第１の取得段階でスポット情報データベースから取得した複数のスポットＳに関する情報の中から、携帯情報端末１の位置を基準とした第１の距離Ｎより短い第２の距離Ｍ（例えば、５００ｍ）の範囲内であって、かつ携帯情報端末１が向いている方角を基準として所定の角度Ａ（例えば、１００°）の範囲内に存在しているスポットＳに関する情報を取得して記憶部１８に記憶する。
【００３６】
これによれば、第１の取得段階で携帯情報端末１の周囲に存在するスポットＳに関する情報を取得しているため、第２の取得段階で携帯情報端末１の位置を基準とした所定の距離かつ方角の範囲内に存在するスポットＳに関する情報を迅速に取得して表示部１２に表示させることができる。
【００３７】
なお、スポット情報取得部１６による第１の取得段階および第２の取得段階において、取得するスポットＳに関する情報の個数をあらかじめ設定しておいてもよい。
【００３８】
前記表示制御部１７は、図４に示すように、スポット情報取得部１６により取得したスポットＳに関する情報を、携帯情報端末１の位置に対するスポットＳの相対的な位置に基づいて表示部１２に表示させるものである。本実施形態では、表示制御部１７は、スポットＳに関する情報の表示位置を設定する段階と、スポットＳに関する情報の表示サイズを設定する段階と、表示位置と表示サイズが設定されたスポットＳに関する情報を表示する段階とを備える。
【００３９】
前記表示制御部１７は、表示位置の設定段階において、携帯情報端末１の位置を表示部１２における２次元平面上の座標の原点とし、携帯情報端末１の位置に対するスポットＳの相対的な位置を表示部１２における２次元平面上の座標に変換することによって、スポットＳに関する情報の表示位置を設定する。
【００４０】
具体的に説明すると、表示制御部１７は、携帯情報端末１の位置に関する情報と、スポットＳの位置に関する情報とに基づいて、携帯情報端末１の位置とスポットＳの位置を３次元の世界座標系に変換する。そして、図５（ａ）に示すように、携帯情報端末１の位置に係る３次元座標を表示部１２における２次元平面上の座標の原点とし、当該原点から見たスポットＳの相対位置を決定して、スポットＳの位置に係る３次元座標を表示部１２における２次元平面上に座標に変換する。
【００４１】
なお、本実施形態において、この２次元平面は、図５（ｂ）に示すように、携帯情報端末１の表示部１２における表示の下端縁部中央を２次元平面の原点として、当該原点から表示の横方向をＸ軸、当該原点から表示の縦方向をＹ軸とし、図５（ｃ）に示すように、各スポットＳに関する情報の表示位置を設定する。
【００４２】
また、前記表示制御部１７は、表示サイズの設定段階において、携帯情報端末１からスポットＳまでの距離が遠くなるほど、スポットＳに関する情報の表示サイズが小さくなるように設定する。
【００４３】
また、前記表示制御部１７は、スポットＳに関する情報の表示サイズについて標準サイズと最小サイズがあらかじめ設定されており、標準サイズと最小サイズの間において、携帯情報端末１の位置を基準としたスポットＳまでの距離に応じて、各スポットＳに関する情報の表示サイズを設定する。
【００４４】
具体的に説明すると、表示制御部１７は、図６（ａ）に示すように、あらかじめ記憶部１８に記憶されているスポットＳに関する情報の標準サイズ（１００）、最小サイズの倍率（０．４）、表示個数（５個）を取得し、図６（ｂ）に示すように、標準サイズの倍率１．０から最小サイズの倍率０．４の間を表示個数５個で１．０、０．８５，０．７，０．５５，０．４と等分したあと、携帯情報端末１の位置から距離が近いスポットＳから順に表示サイズを表示倍率に応じて１００，８５，７０，５５，４０と設定していく。
【００４５】
なお、本実施形態では、表示サイズの倍率を標準サイズの倍率１．０から最小の表示サイズの倍率０．４の間で表示するスポット数で等分したが、携帯情報端末１の位置から各スポットＳまでの距離に反比例して表示サイズの倍率を設定してもよい。ただ、いずれの場合でも、携帯情報端末１の位置から最も遠くに存在するスポットＳに係る表示サイズ（最小サイズ）が表示部１２において十分認識することができるように設定するのが重要である。
【００４６】
また、前記表示制御部１７は、表示段階として、図４に示すように、上述の表示位置と表示サイズが設定されたスポットＳに関する情報を表示部１２に表示させる。本実施形態では、表示するスポットＳに関する情報は、図４のアイコン（例えば、スポットＳのＡ、Ｂ、Ｃ）が示すように、スポットＳを識別するための情報（名称）、携帯情報端末１を基準としたスポットＳの方向を示す情報（矢印）、スポットＳまでの距離から構成される。また、前記表示制御部１７は、表示部１２の上側縁部の中央に携帯情報端末が向いている方角（東西南北）を表示させる。また、前記表示制御部１７は、無背景の画像にスポットＳに関する情報を重ねて表示部１２に表示させる。
【００４７】
＜本システムの動作＞
次に、本発明の動作ついて、図７のフローチャートを参照しつつ説明する。なお、以下の説明において、「ステップ」を「Ｓ」と略記する。
【００４８】
まず、携帯情報端末１において本発明に係るアプリケーションプログラムを起動すると、位置情報取得部１４が、ＧＰＳ機能により携帯情報端末１の位置に関する情報を取得する（Ｓ１）。
【００４９】
次に、方角情報取得部１５が、ジャイロセンサにより携帯情報端末１が向いている方角に関する情報を取得する（Ｓ２）。
【００５０】
次に、スポット情報取得部１６は、位置情報取得部１４により取得された携帯情報端末１の位置と、方角情報取得部１５により取得された携帯情報端末１が向いている方角に関する情報とに基づいて、スポットＳに関する情報に含まれる位置に関する情報を参照しながら、スポットＳに関する情報をスポット情報ＤＢ３から取得する（Ｓ３）。
【００５１】
このとき、スポット情報取得部１６は、第１の取得段階において、図３に示すように、携帯情報端末１の位置を基準とした第１の距離Ｎの範囲内に存在している複数のスポットＳに関する情報を処理サーバ２を通じてスポット情報データベースから取得して、記憶部１８に記憶する（Ｓ３１）。
【００５２】
また、スポット情報取得部１６は、第２の取得段階において、図３に示すように、第１の取得段階でスポット情報データベースから取得した複数のスポットＳに関する情報の中から、前記携帯情報端末１の位置を基準とした第１の距離Ｎより短い第２の距離Ｍの範囲内であって、かつ前記携帯情報端末１が向いている方角を基準として所定の角度Ａの範囲内に存在しているスポットＳに関する情報を取得して、記憶部１８に記憶する（Ｓ３２）。
【００５３】
次に、前記表示制御部１７は、スポット情報取得部１６により取得したスポットＳに関する情報を、携帯情報端末１の位置に対するスポットＳの相対的な位置に基づいて表示部１２に表示させる（Ｓ４）。
【００５４】
このとき、前記表示制御部１７は、表示位置の設定段階において、携帯情報端末１の位置を表示部１２における２次元平面上の座標の原点とし、携帯情報端末１の位置に対するスポットＳの相対的な位置を表示部１２における２次元平面上の座標に変換することによって、スポットＳに関する情報の表示位置を設定する（Ｓ４１）。
【００５５】
また、前記表示制御部１７は、表示サイズの設定段階において、携帯情報端末１からスポットＳまでの距離が遠くなるほど、スポットＳに関する情報の表示サイズが小さくなるように設定する（Ｓ４２）。
【００５６】
また、前記表示制御部１７は、表示段階として、図４に示すように、上述の表示位置と表示サイズが設定されたスポットＳに関する情報を表示部１２に表示させる（Ｓ４３）。
【００５７】
＜本システムのその他の機能＞
次に本システムのその他の機能について図８〜図１５を参照しつつ説明する。
【００５８】
（ズーム機能）
表示制御部１７は、携帯情報端末１の表示部１２においてズーム操作が行われた場合、ズーム操作の程度に応じて、図８に示すように、携帯情報端末１の位置が仮想的に変化させることによって、スポット情報取得部１６により取得されたスポット情報を、携帯情報端末１の新たな仮想的な位置に対するスポットＳの相対的な位置に基づいて表示部１２に再表示させる。
【００５９】
具体的には、以下の手順が挙げられる。
【００６０】
(1)ユーザ操作受付部１１が、ズーム操作、例えばユーザの指によるピンチアウトの操作を受け付ける。
【００６１】
(2)表示制御部１７が、ユーザの指によるピンチアウト時の指の動きの距離に応じて、携帯情報端末１の位置を仮想的に変化させる（図８（ａ）参照）。
【００６２】
(3)スポット情報取得部１６は、携帯情報端末１の新たな仮想的な位置を基準としたスポットＳ（図８（ｂ）の黒色のスポット）に関する情報を取得する。なお、ズーム操作が行われる前の携帯情報端末１と、ズーム操作が行われ、位置が仮想的に変化した携帯情報端末１との間に存在しているスポットＳ（図８（ｂ）の灰色のスポット）に関する情報は取得されない。
【００６３】
(4)表示制御部１７は、新たなスポットＳに関する情報を、携帯情報端末１の新たな仮想的な位置に対するスポットＳの相対的な位置に基づいて表示部１２に表示させる。
【００６４】
（メニュー表示機能）
表示制御部１７は、図９に示すように、携帯情報端末１の表示部１２において表示操作、例えばロングタップが行われた場合、ロングタップが行われた付近に所定のメニュー（例えば、メニューＡ、Ｂ、Ｃ）が表示される。このメニューとしては、例えば表示スポット絞り込み機能、スポット検索機能、お気に入り表示機能に関するメニューが挙げられる。
【００６５】
（表示スポット絞り込み機能）
表示制御部１７は、スポットＳのカテゴリに関するリストを表示部１２に表示させ、該リストにおいてユーザにより一ないし複数のカテゴリが選択された場合、当該選択されたカテゴリに属するスポットＳに関する情報のみを表示部１２に表示させる。このスポットＳのカテゴリに関するリストは、携帯情報端末１の記憶部１８内に記憶されている。
【００６６】
具体的には、以下の手順が挙げられる。
【００６７】
(1)ユーザ操作受付部１１が、上述のメニューの表示スポットの絞り機能に係るメニューの選択操作を受け付ける（図１０の上図参照）。
【００６８】
(2)表示制御部１７が、記憶部１８からスポットＳのカテゴリのリストを表示部１２に表示させる（図１０の中図参照）。
【００６９】
(3)ユーザ操作受付部１１が、スポットＳのカテゴリのリストにおいて一ないし複数のカテゴリの選択操作を付け付ける。
【００７０】
(4)表示制御部１７が、選択されたカテゴリに属するスポットＳに関する情報のみを表示部１２に表示させる（図１０の下図参照）。
【００７１】
（スポット検索機能）
表示制御部１７は、ユーザの操作により所定の検索ボックスを表示部１２に表示させ、該検索ボックスにおいて所定のワードが入力されて検索された際、当該ワードに関するスポットＳに関する情報が表示されている場合には、当該スポットＳに関する情報をハイライト的に表示する一方、当該ワードに関するスポットＳに関する情報が表示されていない場合には、当該スポットＳに関する情報を追加的に表示する。
【００７２】
具体的には、以下の手順が挙げられる。
【００７３】
(1)ユーザ操作受付部１１が、上述のメニューのスポット検索機能に係るメニューの選択を受け付ける（図１１の上図参照）
【００７４】
(2)表示制御部１７が、検索ボックスを表示部１２に表示させる（図１１の中図参照）
【００７５】
(3)ユーザ操作受付部１１が、検索ボックスにおけるワードの入力操作を受け付ける。
【００７６】
(4)表示制御部１７が、当該ワードに関するスポットＳに関する情報が表示部１２に表示されている場合には、当該スポットＳに関する情報をハイライト的に表示させる（図１１の下図参照）。また、当該ワードに関するスポットＳに関する情報が表示部１２に表示されていない場合には、当該スポットＳに関する情報を追加的に表示させる。
【００７７】
（お気に入り表示機能）
表示制御部１７は、図１２に示すように、ユーザの操作により記憶部１８に記憶されているお気に入りのユーザ用スポット情報を一覧的に表示させる。
【００７８】
（スポットメニュー表示機能）
表示制御部１７は、図１３に示すように、スポットＳに関する情報の表示位置において、表示操作、例えばロングタップが行われた場合、ロングタップが行われた付近に所定のメニュー（例えば、メニューＡ、Ｂ）が表示される。このメニューとしては、例えばお気に入り登録や経路検索に関するメニューが挙げられる。
【００７９】
（お気に入り登録機能）
表示制御部１７は、図１４に示すように、スポットメニューにおいてお気に入り登録の選択操作が行われると、当該スポットＳをユーザのお気に入りのスポットとして登録する。
【００８０】
（経路検索機能）
表示制御部１７は、図１５に示すように、ユーザにより選択されたスポット情報に関して、携帯情報端末１の位置に関する情報とスポットＳの位置に関する情報に基づいて、携帯情報端末１の位置からスポットＳの位置までの経路に関する情報を取得して表示部１２に表示させる。
【００８１】
具体的には、以下の手順が挙げられる。
【００８２】
(1)ユーザ操作受付部１１が、ユーザの所望のスポットＳについてタップにより選択操作を受け付ける（図１５の上図参照）
【００８３】
(2)ユーザ操作受付部１１が、上述のスポットメニューにおいて経路検索の選択操作を受け付ける（図１５の中図参照）
【００８４】
(3）表示制御部１７は、携帯情報端末１の位置からスポットＳの位置までの経路に関する情報を処理サーバ２を介して地図情報サーバ４から取得して表示部１２に表示する（図１５の下図参照）
【００８５】
なお、本実施形態では、表示制御部１７は、無背景の画像にスポットＳに関する情報を重ねて表示部１２に表示させるものとしたが、カメラ機能により撮影した実際の風景の画像にスポットＳに関する情報を重ねて表示部１２に表示させてもよい。但し、スポットＳに関する情報と風景に存在する実際のスポットＳとは情報的に何ら紐づけされない。
【００８６】
また、携帯情報端末１の位置を基準とした第１の距離Ｎは１０００ｍ、第２の距離Ｍは５００ｍにそれぞれ設定したが、その他の距離に設定してもよい。例えば、ユーザが徒歩の場合は、徒歩圏内のスポットの表示が目安となるため、この場合の第１の距離Ｎは５，０００ｍ〜１０，０００ｍ、第２の距離Ｍは１，５００ｍ〜２，０００ｍの範囲内の距離に設定するとよい。
【００８７】
また、携帯情報端末１が向いている方角を基準とした所定の角度Ａは、１００°に設定したが、その他の角度に設定してもよい。例えば、人の視野角を考慮すると、６０°〜１００°の範囲内の角度に設定するのがよい。
【００８８】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００８９】
１…携帯情報端末
１１…ユーザ操作受付部
１２…表示部
１３…データ通信部
１４…位置情報取得部
１５…方角情報取得部
１６…スポット情報取得部
１７表示制御部
１８…記憶部
２…処理サーバ
３…スポット情報ＤＢ
４…地図情報サーバ
【図１】
2019045958.tif 000003
【図２】
2019045958.tif 000004
【図３】
2019045958.tif 000005
【図４】
2019045958.tif 000006
【図５】
2019045958.tif 000007
【図６】
2019045958.tif 000008
【図７】
2019045958.tif 000009
【図８】
2019045958.tif 000010
【図９】
2019045958.tif 000011
【図１０】
2019045958.tif 000012
【図１１】
2019045958.tif 000013
【図１２】
2019045958.tif 000014
【図１３】
2019045958.tif 000015
【図１４】
2019045958.tif 000016
【図１５】
2019045958.tif 000017